(57)【要約】      （修正有）【課題】簡単にフックをフックスライド溝に着脱することができる商品陳列体を提供する。【解決手段】商品陳列体１０には第１フックスライド溝４２、第２フックスライド溝４４、第３フックスライド溝４６、がそれぞれ形成されている。第１フックスライド溝４２、第２フックスライド溝４４、第３フックスライド溝４６にはフック５０がスライド可能に取り付けられている。第１フックスライド溝４２の右端には第１フック着脱用拡開部５２が、第２フックスライド溝４４の右端には第２フック着脱用拡開部５４が、第３フックスライド溝４６の右端には第３フック着脱用拡開部５６が、形成されている。第１フックス着脱用拡開部５２、第２フック着脱用拡開部５４、第３フック着脱用拡開部５６の上下方向寸法はフック５０の基端部の上下方向寸法より大きく形成されている。【選択図】図１
0003138100.tif 000002
【実用新案登録請求の範囲】
【請求項１】
背面板と、この背面板の正面側に横方向に向って形成されたフックスライド溝と、このフックスライド溝にスライド可能に取り付けられて基端部の上下方向寸法が前記フックスライド溝の開口部の上下方向寸法より大きく形成されると共に陳列物を吊り下げることができるフックと、前記フックスライド溝の少なくとも一端部に形成されると共に前記フックの基端部の上下方向寸法よりも大きく開口形成されたフック着脱用拡開部と、を有してなることを特徴とする商品陳列体。
【請求項２】
背面板と、この背面板の正面側に横方向に向って形成されたフックスライド溝と、このフックスライド溝にスライド可能に取り付けられて基端部の上下方向寸法が前記フックスライド溝の開口部の上下方向寸法より大きく形成されると共に陳列物を吊り下げることができるフックと、前記フックスライド溝の少なくとも一端部に形成されると共に前記フックの基端部の上下方向寸法よりも大きく開口形成されたフック着脱用拡開部と、前記背面板に形成されると共に前記フックスライド溝に取り付けられた前記フックを前記フック着脱用拡開部に接近させるとフックに吊り下げられた陳列物が当接することによりフックの基端部が前記フック着脱用拡開部に対応するのを阻止する側面板と、を有してなることを特徴とする商品陳列体。
【請求項３】
背面板と、この背面板の正面に間隔を設けて固定された複数の背板保持体と、これら背板保持体の正面に固定された複数の背板と、これら背板間に前記背面板と前記複数の背板保持体と前記複数の背板によって形成されたフックスライド溝と、このフックスライド溝にスライド可能に取り付けられて基端部の上下方向寸法が前記フックスライド溝の開口部の上下方向寸法より大きく形成されると共に陳列物を吊り下げることができるフックと、前記フックスライド溝の少なくとも一端部に形成されると共に前記フックの基端部の上下方向寸法よりも大きく開口形成されたフック着脱用拡開部と、前記背面板に形成されて前記フックスライド溝に取り付けられたフックを前記フック着脱用拡開部に接近させるとフックに吊り下げられた陳列物が当接してフックの基端部が前記フック着脱用拡開部に対応するのを阻止する側面板と、を有してなることを特徴とする商品陳列体。
【請求項４】
背面板と、この背面板の正面に間隔を設けて固定された一対の第１背板保持体と、前記背面板の正面に間隔を設けて固定された一対の第２背板保持体と、前記背面板の正面に間隔を設けて固定された一対の第３背板保持体と、前記背面板の正面に間隔を設けて固定された一対の第４背板保持体と、前記第１背板保持体の正面に固定された第１背板と、前記第２背板保持体の正面に固定された第２背板と、前記第３背板保持体の正面に固定された第３背板と、前記第４背板保持体の正面に固定された第４背板と、前記第１背板と第２背板の間に背面板と第１背板保持体と第２背板保持体と第１背板と第２背板によって形成された第１フックスライド溝と、前記第２背板と第３背板の間に背面板と第２背板保持体と第３背板保持体と第２背板と第３背板によって形成された第２フックスライド溝と、第３背板と第４背板の間に背面板と第３背板保持体と第４背板保持体と第３背板と第４背板によって形成された第３フックスライド溝と、前記第１フックスライド溝、第２フックスライド溝、第３フックスライド溝にスライド可能に取り付けられて基端部の上下方向寸法が前記第１フックスライド溝、第２フックスライド溝、第３フックスライド溝の開口部の上下方向寸法より大きく形成されると共に陳列物を吊り下げることができるフックと、前記第１フックスライド溝、第２フックスライド溝、第３フックスライド溝の少なくとも一端部に形成されると共に前記フックの基端部の上下方向寸法よりも大きく開口形成されたフック着脱用拡開部と、前記背面板に形成されて前記第１フックスライド溝、第２フックスライド溝、第３フックスライド溝に取り付けられたフックを前記フック着脱用拡開部に接近させるとフックに吊り下げられた陳列物が当接してフックの基端部が前記フック着脱用拡開部に対応するのを阻止する側面板と、前記背面板の上端部に形成された係止体挿入孔と、を有してなることを特徴とする商品陳列体。
【請求項５】
背面板と、この背面板の正面に間隔を設けて固定された一対の第１背板保持体と、前記背面板の正面に間隔を設けて固定された一対の第２背板保持体と、前記背面板の正面に間隔を設けて固定された一対の第３背板保持体と、前記背面板の正面に間隔を設けて固定された一対の第４背板保持体と、前記第１背板保持体の正面に固定された第１背板と、前記第２背板保持体の正面に固定された第２背板と、前記第３背板保持体の正面に固定された第３背板と、前記第４背板保持体の正面に固定された第４背板と、前記第１背板と第２背板の間に背面板と第１背板保持体と第２背板保持体と第１背板と第２背板によって形成された第１フックスライド溝と、前記第２背板と第３背板の間に背面板と第２背板保持体と第３背板保持体と第２背板と第３背板によって形成された第２フックスライド溝と、第３背板と第４背板の間に背面板と第３背板保持体と第４背板保持体と第３背板と第４背板によって形成された第３フックスライド溝と、前記第１フックスライド溝、第２フックスライド溝、第３フックスライド溝にスライド可能に取り付けられて基端部の上下方向寸法が前記第１フックスライド溝、第２フックスライド溝、第３フックスライド溝の開口部の上下方向寸法より大きく形成されると共に陳列物を吊り下げることができるフックと、前記第１フックスライド溝、第２フックスライド溝、第３フックスライド溝の少なくとも一端部に形成されると共に前記フックの基端部の上下方向寸法よりも大きく開口形成されたフック着脱用拡開部と、前記背面板に形成されて前記第１フックスライド溝、第２フックスライド溝、第３フックスライド溝に取り付けられたフックを前記フック着脱用拡開部に接近させるとフックに吊り下げられた陳列物が当接してフックの基端部が前記フック着脱用拡開部に対応するのを阻止する側面板と、前記背面板の背面に設けられた鉤状係止部と、を有してなることを特徴とする商品陳列体。
【考案の詳細な説明】
【技術分野】
【０００１】
本考案は、腕時計等の商品を多数陳列する場合等に使用される商品陳列体に関する。
【背景技術】
【０００２】
販売店等においては腕時計等の商品は商品収容ケース等に収容された状態で商品陳列体に吊り下げられた状態で陳列される場合がある。
この商品陳列体の中には立体的な陳列体本体の表面に横方向のフックスライド溝を形成し、このフックスライド溝にフックの基端部を挿入してフックの先端部に前記商品収容ケースを吊り下げて陳列するタイプのものがある（特許文献１）。
しかし、このタイプの商品陳列体は陳列体本体の表面に形成されたフックスライド溝の両端部はフックスライド溝に取り付けたフックがフックスライド溝から脱落しないようにストッパーバー等で塞がれているのでフックスライド溝にフックを取り付けたり、フックスライド溝からフックを取り外す場合は前記ストッパーバー等を取り外す必要があるため前記フックを簡単にフックスライド溝に着脱することができないという不具合が有る。
【特許文献１】実用新案登録第３０８５８４６号公報
【考案の開示】
【考案が解決しようとする課題】
【０００３】
本考案は、上記事実に鑑みなされたものであり簡単にフックをフックスライド溝に着脱することができる商品陳列体を提供するものである。
【課題を解決するための手段】
【０００４】
請求項１の考案は、背面板と、この背面板の正面側に横方向に向って形成されたフックスライド溝と、このフックスライド溝にスライド可能に取り付けられて基端部の上下方向寸法が前記フックスライド溝の開口部の上下方向寸法より大きく形成されると共に陳列物を吊り下げることができるフックと、前記フックスライド溝の少なくとも一端部に形成されると共に前記フックの基端部の上下方向寸法よりも大きく開口形成されたフック着脱用拡開部と、を有してなることを特徴としている。
請求項２の考案は、背面板と、この背面板の正面側に横方向に向って形成されたフックスライド溝と、このフックスライド溝にスライド可能に取り付けられて基端部の上下方向寸法が前記フックスライド溝の開口部の上下方向寸法より大きく形成されると共に陳列物を吊り下げることができるフックと、前記フックスライド溝の少なくとも一端部に形成されると共に前記フックの基端部の上下方向寸法よりも大きく開口形成されたフック着脱用拡開部と、前記背面板に形成されると共に前記フックスライド溝に取り付けられた前記フックを前記フック着脱用拡開部に接近させるとフックに吊り下げられた陳列物が当接することによりフックの基端部が前記フック着脱用拡開部に対応するのを阻止する側面板と、を有してなることを特徴としている。
請求項３の考案は、背面板と、この背面板の正面に間隔を設けて固定された複数の背板保持体と、これら背板保持体の正面に固定された複数の背板と、これら背板間に前記背面板と前記複数の背板保持体と前記複数の背板によって形成されたフックスライド溝と、このフックスライド溝にスライド可能に取り付けられて基端部の上下方向寸法が前記フックスライド溝の開口部の上下方向寸法より大きく形成されると共に陳列物を吊り下げることができるフックと、前記フックスライド溝の少なくとも一端部に形成されると共に前記フックの基端部の上下方向寸法よりも大きく開口形成されたフック着脱用拡開部と、前記背面板に形成されて前記フックスライド溝に取り付けられたフックを前記フック着脱用拡開部に接近させるとフックに吊り下げられた陳列物が当接してフックの基端部が前記フック着脱用拡開部に対応するのを阻止する側面板と、を有してなることを特徴としている。
請求項４の考案は、背面板と、この背面板の正面に間隔を設けて固定された一対の第１背板保持体と、前記背面板の正面に間隔を設けて固定された一対の第２背板保持体と、前記背面板の正面に間隔を設けて固定された一対の第３背板保持体と、前記背面板の正面に間隔を設けて固定された一対の第４背板保持体と、前記第１背板保持体の正面に固定された第１背板と、前記第２背板保持体の正面に固定された第２背板と、前記第３背板保持体の正面に固定された第３背板と、前記第４背板保持体の正面に固定された第４背板と、前記第１背板と第２背板の間に背面板と第１背板保持体と第２背板保持体と第１背板と第２背板によって形成された第１フックスライド溝と、前記第２背板と第３背板の間に背面板と第２背板保持体と第３背板保持体と第２背板と第３背板によって形成された第２フックスライド溝と、第３背板と第４背板の間に背面板と第３背板保持体と第４背板保持体と第３背板と第４背板によって形成された第３フックスライド溝と、前記第１フックスライド溝、第２フックスライド溝、第３フックスライド溝にスライド可能に取り付けられて基端部の上下方向寸法が前記第１フックスライド溝、第２フックスライド溝、第３フックスライド溝の開口部の上下方向寸法より大きく形成されると共に陳列物を吊り下げることができるフックと、前記第１フックスライド溝、第２フックスライド溝、第３フックスライド溝の少なくとも一端部に形成されると共に前記フックの基端部の上下方向寸法よりも大きく開口形成されたフック着脱用拡開部と、前記背面板に形成されて前記第１フックスライド溝、第２フックスライド溝、第３フックスライド溝に取り付けられたフックを前記フック着脱用拡開部に接近させるとフックに吊り下げられた陳列物が当接してフックの基端部が前記フック着脱用拡開部に対応するのを阻止する側面板と、前記背面板の上端部に形成された係止体挿入孔と、を有してなることを特徴としている。
請求項５の考案は、背面板と、この背面板の正面に間隔を設けて固定された一対の第１背板保持体と、前記背面板の正面に間隔を設けて固定された一対の第２背板保持体と、前記背面板の正面に間隔を設けて固定された一対の第３背板保持体と、前記背面板の正面に間隔を設けて固定された一対の第４背板保持体と、前記第１背板保持体の正面に固定された第１背板と、前記第２背板保持体の正面に固定された第２背板と、前記第３背板保持体の正面に固定された第３背板と、前記第４背板保持体の正面に固定された第４背板と、前記第１背板と第２背板の間に背面板と第１背板保持体と第２背板保持体と第１背板と第２背板によって形成された第１フックスライド溝と、前記第２背板と第３背板の間に背面板と第２背板保持体と第３背板保持体と第２背板と第３背板によって形成された第２フックスライド溝と、第３背板と第４背板の間に背面板と第３背板保持体と第４背板保持体と第３背板と第４背板によって形成された第３フックスライド溝と、前記第１フックスライド溝、第２フックスライド溝、第３フックスライド溝にスライド可能に取り付けられて基端部の上下方向寸法が前記第１フックスライド溝、第２フックスライド溝、第３フックスライド溝の開口部の上下方向寸法より大きく形成されると共に陳列物を吊り下げることができるフックと、前記第１フックスライド溝、第２フックスライド溝、第３フックスライド溝の少なくとも一端部に形成されると共に前記フックの基端部の上下方向寸法よりも大きく開口形成されたフック着脱用拡開部と、前記背面板に形成されて前記第１フックスライド溝、第２フックスライド溝、第３フックスライド溝に取り付けられたフックを前記フック着脱用拡開部に接近させるとフックに吊り下げられた陳列物が当接してフックの基端部が前記フック着脱用拡開部に対応するのを阻止する側面板と、前記背面板の背面に設けられた鉤状係止部と、を有してなることを特徴としている。
【考案の効果】
【０００５】
本考案の商品陳列体は、商品を取り付けるフックが取り付けられるフックスライド溝の一端部にフックの基端部よりも大きく開口されたフック着脱用拡開部を形成したので、フックを容易にフックスライド溝に取り付けたり、フックスライド溝から取り外したりすることができるという優れた効果を有する。
【考案を実施するための最良の形態】
【０００６】
考案を実施するために最良の形態の例として以下のような実施例を示す。
【実施例１】
【０００７】
図１〜図６には本考案に係る商品陳列体の第１実施例が示されている。なお、実施例では商品陳列体に腕時計を収容した商品収容ケースを吊り下げる場合を例にして説明する。
図１及び図５に示されるように、商品陳列体１０の矩形状の背面板１２の上部には庇板１４が突設されている。また、前記背面板１２の下端部には底板１６が前記庇板１４と対向して突設されている。
前記背面板１２の左部には左側面板２０が突設され、前記背面板１２の右部には右側面板２２が前記左側面板２０と対向して突設されている。
これにより、商品陳列体１０には前記前記庇板１４と底板１６と左側面板２０と右側面板２２に囲まれて商品陳列部２４が形成されている。
図３に示されるように、前記商品陳列部２４の内側の前記背面板１２の正面には横長の第１背板保持体２６Ａ，２６Ｂが接着等によって間隔を設けて固定されている。また、前記背面板１２の正面で前記第１背板保持体２６Ｂの下方には横長の第２背板保持体２８Ａ，２８Ｂが接着等によって間隔を設けて固定されている。また、前記背面板１２の正面で前記第２背板保持体２８Ｂの下方には横長の第３背板保持体３０Ａ，３０Ｂが接着等によって間隔を設けて固定されている。また、前記背面板１２の正面で前記第３背板保持体３０Ｂの下方には横長の第４背板保持体３２Ａ，３２Ｂが接着等によって間隔を設けて固定されている。
図１に示されるように、前記第１背板保持体２６Ａ，２６Ｂの正面には横長の第１背板３４が、前記第２背板保持体２８Ａ，２８Ｂの正面には横長の第２背板３６が、前記第３背板保持体３０Ａ，３０Ｂの正面には横長の第３背板３８が、前記第４背板保持体３２Ａ，３２Ｂの正面には横長の第４背板４０が、それぞれ接着等によって固定されているている。
これにより、図３に示されるように前記第１背板３４と第２背板３６の間には背面板１２と第１背板保持体２６Ｂと第２背板保持体２８Ａと第１背板３４と第２背板３６によって第１フックスライド溝４２が形成されている。また、前記第２溝形成板３６と第３溝形成板３８の間には背面板１２と第２背板保持体２８Ｂと第３背板保持体２８Ａと第２溝形成板３６と第３溝形成板３８によって第２フックスライド溝４４が形成されている。さらに、第３溝形成板３８と第４溝形成板４０の間には背面板１２と第３背板保持体２８Ｂと第４背板保持体４０Ａと第３溝形成板３８と第４溝形成板４０によって第３フックスライド溝４６が形成されている。
前記第１フックスライド溝４２、第２フックスライド溝４４、第３フックスライド溝４６にはそれぞれ多数のフック５０が左右方向にスライド可能に取り付けられている。
図４に示されるように、これらフック５０の基端部５０Ａの上下方向寸法Ａは第１フックスライド溝４２の開口部４２Ａ、第２フックスライド溝４４の開口部４４Ａ、第３フックスライド溝４６の開口部４６Ａ（図４には第１フックスライド溝４２のみを示す）の上下方向寸法Ｂ（図１参照）より大きく形成されているが、フック５０の中間部５０Ｂの上下方向寸法Ｃは第１フックスライド溝４２の開口部４２Ａ、第２フックスライド溝４４の開口部４４Ａ、第３フックスライド溝４６の開口部４６Ａの上下方向寸法Ｂより小さく形成されている。
なお、前記フック５０の先端部には鉤部５０Ｃが形成されている。従って、フック５０に陳列物としての腕時計が収容された商品収容ケース１を吊り下げても簡単に商品収容ケース１がフック５０から落下しないようになっている。
図１に示されるように、前記第１背板３４の右下隅にはカット部３４Ａが形成され前記第２背板３６の右上隅にはカット部３６Ａが形成され、これにより前記第１フックスライド溝４２の右端には第１フック着脱用拡開部５２が形成されている。また、前記第２背板３６の右下隅にはカット部３６Ｂが形成され前記第３背板３８の右上隅にはカット部３８Ａが形成され、これにより前記第２フックスライド溝４４の右端には第２フック着脱用拡開部５４が形成されている。さらに、前記第３背板３８の右下隅にはカット部３８Ｂが形成され前記第４背板４０の右上隅にはカット部４０Ａが形成され、これにより前記第３フックスライド溝４６の右端には第３フック着脱用拡開部５６が形成されている。
なお、第１フックス着脱用拡開部５２、第２フック着脱用拡開部５４、第３フック着脱用拡開部５６の上下方向寸法Ｄは前記フック５０の基端部５０Ａの上下方向寸法Ａより大きく形成されている。従って、第１フックス着脱用拡開部５２、第２フック着脱用拡開部５４、第３フック着脱用拡開部５６を介して前記第１フックスライド溝４２、前記第２フックスライド溝４４、第３フックスライド溝４６にフック５０を容易に着脱できるようになっている。
なお、図６に示されるように、前記第１フックスライド溝４２に取り付けられている商品収容ケース１を係止したフック５０を第１フックスライド溝４２の右端にスライドさせても商品収容ケース１の右端面１Ａが右側面板２２に当接して前記フック５０は第１フックス着脱用拡開部５２に到達しないように形成されている。このため商品収容ケース１を係止したフック５０は第１フックス着脱用拡開部５２から着脱できないようになっている。なお、これは前記第２フックスライド溝４４、第３フックスライド溝４６に取り付けられているフック５０も同様である。
図１及び図５に示されるように、前記背面板１２の上端部には間隔を設けて係止体挿入孔５８が２個貫通形成されている。従って、図示しない係止体を係止体挿入孔５８，５８に挿入することにより前記商品陳列体１０を壁面等に吊り下げることができるようになっている。
なお、前記第１背板３４、第２背板３６、第３背板３８には陳列物の宣伝広告ステッカーを貼付したり、商品陳列体１０を飾る模様等を形成してもよい。
【０００８】
次に、第１実施例の商品陳列体１０の作用を説明する。
商品陳列体１０に腕時計が収容された商品収容ケース１を吊り下げて陳列する場合は前記フック５０の基端部５０Ａを前記第１フックスライド溝４２の第１フックス着脱用拡開部５２に対応させる。この第１フックス着脱用拡開部５２の上下方向寸法Ｄは前記フック５０の基端部５０Ａの上下方向寸法Ａより大きく形成されているので、フック５０を第１フックス着脱用拡開部５２を介して容易に前記第１フックスライド溝４２に取り付けることができる。
そして、前記第１フックスライド溝４２に多数のフック５０を取り付けたら、フック５０毎に腕時計が収容された商品収容ケース１を係止させる。同様にして、前記第２フックスライド溝４４、第３フックスライド溝４６に多数のフック５０を取り付けて、これらフック５０毎に腕時計が収容された商品収容ケース１を係止させる。
なお、前記第１フックスライド溝４２、第２フックスライド溝４４、第３フックスライド溝４６の商品収容ケース１を吊り下げた場合において図６に示されるように商品収容ケース１が右端に寄ってもフック５０の基端部５０Ａが第１フックスライド溝４２の第１フックス着脱用拡開部５２に対応する前に商品収容ケース１の右端部１Ａが右側面２２に当接する。従って、この場合、前記フック５０の基端部５０Ａは第１フックスライド溝４２の第１フックス着脱用拡開部５２に対応しないので、前記商品収容ケース１を係止したフック５０を第１フックス着脱用拡開部５２から取り外したり、あるいは商品収容ケース１を係止したフック５０が第１フックス着脱用拡開部５２から取れてしまうようなことはない。
前記商品陳列体１０に取り付けられたフック５０を取り外す場合は腕時計が収容された商品収容袋１をフック５０から取り外してから前記フック５０をスライドさせてフック５０の基端部５０Ａを第１フックス着脱用拡開部５２に対応させれば簡単にフック５０を取り外すことができる。同様にして、フック５０を前記第２フックスライド溝４４、第３フックスライド溝４６から取り外す。
従って、商品陳列体１０においては前記第１フックスライド溝４２、第２フックスライド溝４４、第３フックスライド溝４６に容易にフック５０を取り付けることができると共に前記第１フックスライド溝４２、第２フックスライド溝４４、第３フックスライド溝４６から容易にフック５０を取り外すことができる。
【０００９】
図７には商品陳列体の第２実施例が示されている。なお、第１実施例の商品陳列体１０と同一の構成は同一の符号を用いてその説明を省略する。
図７に示されるように、第２実施例の商品陳列体７０の背面板１２の背面には鉤状取付体７２が固定されている。従って、図７に示すように鉤状取付体７２をネット７４に係止することにより前記商品陳列体７０をネット７４に取り付けることができる。
なお、他の構成、作用、効果は第１実施例の商品陳列体１０と同一であるのでその説明は省略する。
【００１０】
なお、商品陳列体１０，７０の第１フックス着脱用拡開部５２、第２フック着脱用拡開部５４、第３フック着脱用拡開部５６の形状は実施例に示した形状に限定されるものではなく、要はフック５０の基端部５０Ａの上下方向寸法Ａよりも大きく形成されていれば形状は実施例に示した形状に限定されないことは勿論である。従って、例えば図８（Ａ）に示すような正面視半円形状に形成したり、図８（Ｂ）に示すように正面視矩形状に形成したり図８（Ｂ）に示すような正面視逆Ｌ字形状に形成したりしてもよいことは勿論である。
また、実施例では第１フックス着脱用拡開部５２、第２フック着脱用拡開部５４、第３フック着脱用拡開部５６を第１フックスライド溝４２、第２フックスライド溝４４、第３フックスライド溝４６の右端に形成したが、第１フックス着脱用拡開部５２、第２フック着脱用拡開部５４、第３フック着脱用拡開部５６は第１フックスライド溝４２、第２フックスライド溝４４、第３フックスライド溝４６の左端に設けてもよく、あるいは第１フックスライド溝４２、第２フックスライド溝４４、第３フックスライド溝４６の左端と右端の両端に設けてもよいことは勿論である。
【図面の簡単な説明】
【００１１】
【図１】第１実施例の商品陳列体の正面図である。
【図２】第１実施例の商品陳列体に商品収容ケースを取り付けた状態の正面図である。
【図３】第１実施例の商品陳列体に商品収容ケースを取り付けた状態の縦断面図である。
【図４】第１実施例の商品陳列体に商品収容ケースを取り付けた状態の一部拡大縦断面図である。
【図５】第１実施例の商品陳列体に商品収容ケースを取り付けた状態の斜視図である。
【図６】第１実施例の商品陳列体に商品収容ケースを取り付けた状態の一部拡大正面図である。
【図７】第２実施例の商品陳列体をネットに取り付けた状態の斜視背面図である。
【図８】実施例の商品陳列体の第１フックス着脱用拡開部、第２フック着脱用拡開部、第３フック着脱用拡開部の変形例を示す一部拡大正面図である。
【符号の説明】
【００１２】
１０    商品陳列体
１２    背面板
１４    庇板
１６    底板
２０    左側面板
２２    右側面板
２６Ａ  第１背板保持体
２６Ｂ  第１背板保持体
２８Ａ  第２背板保持体
２８Ｂ  第２背板保持体
３０Ａ  第３背板保持体
３０Ｂ  第３背板保持体
３２Ａ  第４背板保持体
３２Ｂ  第４背板保持体
３４    第１背板
３６    第２背板
３８    第３背板
４０    第４背板
４２    第１フックスライド溝
４４    第２フックスライド溝
４６    第３フックスライド溝
５０    フック
５２    第１フック着脱用拡開部
５４    第２フック着脱用拡開部
５６    第３フック着脱用拡開部
５８    係止体挿入孔
【図１】
0003138100.tif 000003
【図２】
0003138100.tif 000004
【図３】
0003138100.tif 000005
【図４】
0003138100.tif 000006
【図５】
0003138100.tif 000007
【図６】
0003138100.tif 000008
【図７】
0003138100.tif 000009
【図８】
0003138100.tif 000010